(57)【要約】      （修正有）【課題】自動化生産を実現でき、且つ出光効率が高く、省エネルギー等の利点を有する街路灯用のＬＥＤ発光ユニットを提供する。【解決手段】ブラケット１と、ブラケット側に設けられたＬＥＤ発光ウエハーとを備える街路灯用のＬＥＤ発光ユニットにおいて、前記ＬＥＤ発光ウエハーのあるブラケット１側には、シリカゲル材料を圧力射出してなるシリカゲル体３が設けられ、前記シリカゲル体は、前記ＬＥＤ発光ウエハーを被覆し、前記ブラケットと一体に結合され、このシリカゲル体３は、その長手方向の両端から該シリカゲル体の中央部位置へ徐々に平滑に窪んで、中央部が低く、両端が高く、このシリカゲル体３の中央部位置に沿って対称的に分布された短冊状の曲面を形成し、前記短冊状の曲面の作用によって、前記ＬＥＤ発光ウエハーから出射される光線は、長方形または楕円形のスポットに変換される。【選択図】図１
0003159471.tif 000002
【実用新案登録請求の範囲】
【請求項１】
ブラケットと、ブラケット側に設けられたＬＥＤ発光ウエハーとを備える街路灯用のＬＥＤ発光ユニットにおいて、前記ＬＥＤ発光ウエハーのあるブラケット側には、シリカゲル材料を圧力射出してなるシリカゲル体が設けられ、前記シリカゲル体は、前記ＬＥＤ発光ウエハーを被覆し、前記ブラケットと一体に結合され、このシリカゲル体は、その長手方向の両端から該シリカゲル体の中央部位置へ徐々に平滑に窪んで、中央部が低く、両端が高く、このシリカゲル体の中央部位置に沿って対称的に分布された短冊状の曲面を形成し、前記短冊状の曲面の作用によって、前記ＬＥＤ発光ウエハーから出射される光線は、長方形または楕円形のスポットに変換されることを特徴とする街路灯用のＬＥＤ発光ユニット。
【請求項２】
前記ブラケットに近い中央部位置には、実装孔が設けられ、この実装孔には、ＬＥＤ発光ウエハーからの熱を大気中へ放熱するための放熱ブロックが固設され、前記ＬＥＤ発光ウエハーは、前記放熱ブロックの側面に設けられていることを特徴とする請求項１に記載の街路灯用のＬＥＤ発光ユニット。
【請求項３】
前記短冊状の曲面はピーナッツの殻状に形成されていることを特徴とする請求項１または２に記載の街路灯用のＬＥＤ発光ユニット。
【請求項４】
ＬＥＤ発光ウエハーの外表面には、さらに、蛍光材料が均一にコーティングされていることを特徴とする請求項３に記載の街路灯用のＬＥＤ発光ユニット。
【考案の詳細な説明】
【技術分野】
【０００１】
本考案は、街路灯用の部品に関し、特に、街路灯用のＬＥＤ発光ユニットに関するものである。
【背景技術】
【０００２】
従来の街路灯用のＬＥＤ発光ユニットは、ブラケットと、前記ブラケット側に設けられ、且つ透明なプラスチック材料からなる透明カバーとを備え、前記ブラケットと透明カバー内には、ＬＥＤ発光ウエハーが設けられ、透明カバーは、接着剤注射により前記ブラケットに接続され、使用の際に、ＬＥＤ発光ユニットの外側に１つのレンズを配置し、道路照明のニーズに応え、ＬＥＤ発光ユニットに対して二次配光を行うことが一般である。
【０００３】
上記した従来の街路灯用のＬＥＤ発光ユニットは、二次配光され、道路照明のニーズには応えるが、このような構造形態のＬＥＤ発光ユニットとレンズとの間にはギャップが存在し、且つＬＥＤ発光ユニットとレンズとの間には複数の界面層が存在し、光ビームの伝送中において、エネルギー損失が大きく、出光効率が低く、且つ透明なプラスチックカバーの耐熱性が悪くて、加工過程において、リフロー半田付けができなく、加工効率も低くなっている。従って、このような構造形態の街路灯用のＬＥＤ発光ユニットを改善する必要がある。
【考案の概要】
【考案が解決しようとする課題】
【０００４】
本考案は、上記した技術問題を解決するためになされ、レンズによる二次配光を必要とせず、道路照明のニーズに応え、且つ出光効率が高く、省エネルギーの街路灯用のＬＥＤ発光ユニットを提供することを課題とする。
【課題を解決するための手段】
【０００５】
本考案は、上記の技術問題を解決するために、ブラケットと、ブラケット側に設けられたＬＥＤ発光ウエハーとを備える街路灯用のＬＥＤ発光ユニットにおいて、前記ＬＥＤ発光ウエハーのあるブラケット側には、シリカゲル材料を圧力射出してなるシリカゲル体が設けられ、前記シリカゲル体は、前記ＬＥＤ発光ウエハーを被覆し、前記ブラケットと一体に結合され、このシリカゲル体は、その長手方向の両端から該シリカゲル体の中央部位置へ徐々かつ平滑に窪んで、中央部が低く、両端が高く、このシリカゲル体の中央部位置に沿って対称的に分布された短冊状の曲面を形成し、前記短冊状の曲面の作用によって、前記ＬＥＤ発光ウエハーから出射される光線は、長方形または楕円形のスポットに変換される、街路灯用のＬＥＤ発光ユニットを提供している。
【０００６】
また、本考案の創作構想によれば、前記ブラケットに近い中央部位置には、実装孔が設けられ、この実装孔には、ＬＥＤ発光ウエハーからの熱を大気中へ放熱するための放熱ブロックが固設され、前記ＬＥＤ発光ウエハーは、前記放熱ブロックの側面に設けられている。
さらに、本考案の創作構想によれば、前記短冊状の曲面はピーナッツの殻状に形成されている。
また、本考案の創作構想によれば、ＬＥＤ発光ウエハーの外表面には、さらに、蛍光材料が均一にコーティングされている。
【考案の効果】
【０００７】
本考案は、従来の技術と比べて、次の有益な効果がある。（１）本考案ではブラケット上にシリカゲル体が圧力射出成形されたため、このシリカゲル体は、前記ＬＥＤ発光ユニットのブラケットと一体に圧力射出成形され、その加工プロセスは簡単であり、且つシリカゲルをリフロー半田付けることができ、自動化生産を実現することにより、ＬＥＤ発光ユニットの生産効率を向上している。（２）このシリカゲル体がＬＥＤ発光ウエハーを被覆し、ＬＥＤ発光ウエハーとシリカゲル体との間に隙間がないため、ＬＥＤ発光ウエハーから出射された光線の伝送中において、複数の界面層の存在によるエネルギーの損失はなく、出光効率が高く、省エネルギー等の利点があり、且つこのシリカゲル体の表面は短冊状の曲面であり、該短冊状の曲面のシリカゲル体は、二次配光する必要がなく、ＬＥＤ発光ウエハーから出射された光線を長方形または楕円形のスポットに直接に変換することができ、さらに道路照明のニーズに応える。（３）本考案では、放熱ブロックをさらに設けているため、ＬＥＤ発光ウエハーからの熱はこの放熱ブロックによって空気中に放熱されることができ、ＬＥＤ発光ウエハーの温度が高過ぎで容易に破損してしまう現象の発生を防止し、さらにＬＥＤ発光ユニットの使用寿命を高めている。（４）ＬＥＤ発光ウエハーの外表面には、さらに、蛍光材料が均一にコーティングされているため、当該ＬＥＤ発光ユニットの発光は比較的に均一で柔らかい。
【図面の簡単な説明】
【０００８】
【図１】本考案の立体構造を示す図である。
【図２】本考案の上面視構造を示す図である。
【図３】図２のＡ-Ａ段の断面構造を示す図である。
【考案を実施するための形態】
【０００９】
図１を参照すると、本考案の街路灯用のＬＥＤ発光ユニットは、ブラケット１と、ＬＥＤ発光ウエハー２と（図３に示す）を備え、そのうち、前記ＬＥＤ発光ウエハー２のあるブラケット１側には、シリカゲル材料を圧力射出してなるシリカゲル体３が設けられ、ＬＥＤ発光ウエハー２の外表面には、蛍光材料が均一にコーティングされており、該蛍光材料は、蛍光粉であることが好ましい。
【００１０】
前記シリカゲル体３は、１つの実体であり、シリカゲル体３は、前記ＬＥＤ発光ウエハー２を被覆し、且つ前記ブラケット１と一体に結合されている。そのようにして、ＬＥＤ発光ユニットを加工する場合に、シリカゲルをリフロー半田付けることができるため、その加工過程において、自動化生産を実現することができ、ＬＥＤ発光ユニットの生産効率を向上している。
【００１１】
図２及び図３に示すように、前記ブラケット１に近い中央部位置には実装孔が設けられ、この実装孔には、放熱ブロック４が固設され、前記ＬＥＤ発光ウエハー２は、放熱ブロック４の側面に設けられ、そのうち、該放熱ブロック４は、ＬＥＤ発光ウエハー２からの熱を大気中へ放熱するためのものである。
【００１２】
この放熱ブロック４の作用によって、ＬＥＤ発光ウエハー２から発した熱量を適時に空気中に発散させることができ、ＬＥＤ発光ウエハー２の温度が高過ぎで容易に破損してしまう現象の発生を防止し、さらにＬＥＤ発光ユニット２の使用寿命を高めている。
【００１３】
図１、図２及び図３を合わせて参照すると、本考案のシリカゲル体３は、その長手方向の両端から該シリカゲル体３の中央部位置へ徐々にかつ平滑に窪んで、中央部が低く、両端が高い短冊状の曲面を形成し、該短冊状の曲面は、このシリカゲル体３の中央部位置に沿って対称的に設置され、つまり、該シリカゲル体３は、ほぼピーナッツの殻状に形成され、前記短冊状の曲面の作用によって、前記ＬＥＤ発光ウエハー２から出射される光線は、長方形または楕円形のスポットに変換される。
【００１４】
短冊状の曲面のシリカゲル体３はＬＥＤ発光ウエハー２から出射する光線を長方形または楕円形のスポットに変換することができるため、その使用過程において、二次配光する必要がなく、道路照明のニーズに応え、構造が簡単で、低コストである。
【図１】
0003159471.tif 000003
【図２】
0003159471.tif 000004
【図３】
0003159471.tif 000005